(57)【特許請求の範囲】
【請求項１】
喫煙物品（２）の再閉鎖可能な包装体（１）であって、前記包装体が、前壁、後壁、二つの側壁（７）、上端壁（８）、及び下端壁（６）を有する封止包囲体を含み、前記包囲体が、一束の喫煙物品（２）のまわりに可撓性包装積層体を含み、前記積層体が、積層体の全表面にわたって延びる永久接着剤（１１）の層によって面対面の関係で互いに積層された内部層構造（９）及び外部層構造（１２）を含み、前記積層体が、内部層構造（９）と外部層構造（１２）の間に挟まれた永久に粘着性の接着剤（３）を含む組み込みの容易開放アクセス部を有し、前記構造はともに、外部層構造（１２）の厚さを通して形成された外部刻み線（１３）、及び内部層構造（９）の厚さを通して形成された内部刻み線（１４）を含み、前記刻み線はともに、分離可能な開放部分を画定し、その部分において外部刻み線（１３）と内部刻み線（１４）の間の外部開放部分の領域が、永久に粘着性の接着剤（３）によって下にある内部層構造に取り付けられ、外部開放部分が、開放フラップ（４）を構築するために下にある内部層構造（９）から剥離可能であり、外部開放部分が、使用時に開放アクセス部を再閉鎖するために前記永久に粘着性の接着剤によって下にある内部層構造（９）に再取り付け可能であり、永久に粘着性の接着剤（３）が、使用時に、剥離された後に下にある内部層構造（９）上に位置されたままであり、永久に粘着性の接着剤層（３）が、外部刻み線（１３）及び内部刻み線（１４）によって画定された表面上にパターン化されかつ位置されている、包装体。
【請求項２】
前記開放アクセス部が、封止包装体の上端壁（８）にのみ位置される、請求項１に記載の包装体。
【請求項３】
前記包装体が、パターン化された永久に粘着性の接着剤層（３）と永久接着剤（１１）の間の剥離層（１０）を含む、請求項１又は２に記載の包装体。
【請求項４】
剥離層（１０）が、積層体の全表面にわたって延びる、請求項３に記載の包装体。
【請求項５】
可撓性包装積層体が、内部層構造（９）と外部層構造（１２）の間に位置される不透明層をさらに含み、第一及び第二刻み線の深さが、前記不透明層によって画定される、請求項４に記載の包装体。
【請求項６】
不透明層が、剥離層（１０）、永久積層接着剤層（１１）、アルミニウム層、又は印刷層である、請求項５に記載の包装体。
【請求項７】
永久に粘着性の接着剤層と前記包囲体の間の２０℃での接着力が、ＦＩＮＡＴ試験法Ｎｏ．２によれば、１〜１０Ｎ／１５ｍｍである、請求項１〜６のいずれかに記載の包装体。
【請求項８】
永久に粘着性の接着剤層と前記包囲体の間の２０℃での接着力が、ＦＩＮＡＴ試験法Ｎｏ．２によれば、１〜５Ｎ／１５ｍｍである、請求項１〜６のいずれかに記載の包装体。
【請求項９】
永久に粘着性の接着剤層と前記包囲体の間の２０℃での接着力が、ＦＩＮＡＴ試験法Ｎｏ．２によれば、２〜３Ｎ／１５ｍｍである、請求項１〜６のいずれかに記載の包装体。
【請求項１０】
永久に粘着性の接着剤層（３）と内部層構造（９）の間の２０℃での接着力が、永久に粘着性の接着層（３）と外部層構造（１２）の間の接着力より少なくとも２Ｎ／１５ｍｍ強い、請求項１〜９のいずれかに記載の包装体。
【請求項１１】
封止包囲体が、カートンボックスの内部ライナーである、請求項１〜１０のいずれかに記載の包装体。
【請求項１２】
以下の工程を含む、請求項１〜１１のいずれかに記載の再閉鎖可能な包装の製造のための方法：
―  可撓性材料の少なくとも一つの層を含む構造の一つの表面上に永久に粘着性の接着剤の予め決められたパターンを付与する工程；
―  少なくとも前記予め決められたパターンを保護オーバーラッカー層で被覆し、それによって第一構造を得る工程；
―  第一構造の全表面を横切って永久に積層する接着剤を付与し、前記第一構造のオーバーラッカー層及び存在可能なオーバーラッカーで被覆されていない面を被覆する工程；
―  永久接着剤によって第一構造を第二構造に面対面で接着剤接合し、積層体を形成する工程；
―  第一及び第二構造に第一及び第二オフセット刻み線をそれぞれ施し、積層体の面から外側に持ち上げられることができる一体化フラップを形成して開放アクセス部を形成することによって、可撓性包装積層体に組み込みの開放及び再閉鎖構造を形成する工程；
―  一束の喫煙物品のまわりに再閉鎖可能な包装体を形成する工程。
【請求項１３】
オーバーラッカー層が、構造の全表面を被覆し、永久に粘着性の接着剤と第一構造の両方を被覆する、請求項１２に記載の方法。
【請求項１４】
パターン化された永久に粘着性の接着剤層によって誘導されるレベルの差がオーバーラッカー層によって滑らかにされるように、オーバーラッカー層が液体状態で付与される、請求項１３に記載の方法。
【請求項１５】
オーバーラッカーが、溶媒被覆によって付与される、請求項１４に記載の方法。
【請求項１６】
第一及び第二オフセット刻み線が、レーザー食刻によって実施される、請求項１２〜１５のいずれかに記載の方法。
【請求項１７】
レーザー食刻の深さが、第一構造と第二構造の間に位置される不透明層によって制限される、請求項１６に記載の方法。
【発明の詳細な説明】
【技術分野】
【０００１】
本発明は、シガレット包装体のため、特に硬いシガレットボックスの内部ライナーのため、又はソフトパックと称される可撓性フィルムのシガレット包装体のための容易開放及び再閉鎖システムに関する。
【背景技術】
【０００２】
シガレットボックスの内部ライナー又はシガレットソフトパックのための多数の開放及び再閉鎖システムが、今日、市場に存在する。かかるシステムに関する文献は、特にＷＯ２０１１／０８９９６２Ａ１（ＢＡＴ），ＷＯ２００８／０６２１５９Ａ１（ＢＡＴ）、及びＷＯ２０１１／１１０２７２Ａ１（Ｆｏｃｋｅ）である。
【０００３】
ＷＯ９８／２２３６７Ａ１（ＢＡＴ）は、内部剛化枠を有する喫煙物品のソフトパックを開示し、それは、一束の喫煙物品のまわりのバリヤー層、バリヤー層の上端壁の開口、永久に粘着性の下面を有する開口の上のカバー層であって、バリヤー層上の前記下面の付与によって開口を再封止するカバー層からなる封止包囲体、及び包囲体の内側の枠であって、開口上の被覆層を閉鎖するときに付与される再封止圧力に対して反応面を与える枠の上縁の喫煙物品の束の上の枠を含む。
【０００４】
ＷＯ２００１／０８９９６２Ａ１（ＢＡＴ）は、内部剛化枠が全くないソフトパック、及び引張タブを有する再封止可能なカバー層で再閉鎖可能な開口を有するバリヤー材料の封止包囲体を開示する。シート材料包装が、前記包囲体の外部にかつカバー層の上に配置される。開口の初めての開放のためには、包装は、引き裂かれるか、又は除去されなければならない。
【０００５】
上述の包装の製造のために好適な、積層体、及び前記積層体の製造のための方法は、ＷＯ２００８／１１５６９３Ａ１（Ｗｒｉｇｌｅｙ），ＷＯ２００８／１１５６９３Ａ１（Ｗｒｉｇｌｅｙ），ＷＯ２００５／１２３５３５Ａ１（Ｓｏｎｏｃｏ），ＷＯ０２／０６６３４１（ＢＡＴ），ＥＰ１４４９７８９（Ａｌｃａｎ）、及びＵＳ４６１０３５７（Ｎａｋａｍｕｒａ）に述べられている。
【０００６】
これらの文献は、包装体を再閉鎖するために永久に粘着性の接着剤又は永久に粘着性のラベルを一般に含む、組み込みの開放及び再閉鎖特徴を有する可撓性包装積層体を開示する。周囲の粘着性の領域は、一般的に下にある表面に取り付けられ、外部開放部分は、一般的に下にある表面から剥離可能である。開放アクセス部は、シガレットの上端壁及び前壁にわたって延びる。
【０００７】
上述の包装及び積層体の各々は、その特有の利点及び欠点を有し、シガレット包装体の容易な開放及び再閉鎖システムの改良のための必要性がなお存在する。
【発明の概要】
【発明が解決しようとする課題】
【０００８】
本発明は、包装の上部の前端に特定の開放アクセス部を有するシガレット包装体のための容易な開放及び再閉鎖システム、特にフラップが剥離された後に下にある面上に位置されて残る永久に粘着性の接着剤を周囲に有するフラップを生成できる特別に配置された刻み線を含む特定の積層体の使用によって得られる組み込みの容易開放アクセス部を提供することを目的とする。
【課題を解決するための手段】
【０００９】
本発明は、喫煙物品の再閉鎖可能な包装体であって、前記包装体が、前壁、後壁、二つの側壁、上端壁、及び下端壁を有する封止包囲体を含み、前記包囲体が、一束の喫煙物品のまわりに可撓性包装積層体を含み、前記積層体が、二つのフィルム構造の間に挟まれた永久に粘着性の接着剤を含む組み込みの容易開放アクセス部を有し、前記構造はともに、外部層構造の厚さを通して形成された外部刻み線、及び内部層構造の厚さを通して形成された内部刻み線を含み、前記刻み線はともに、分離可能な開放部分を画定し、その部分において外部刻み線と内部刻み線の間の外部開放部分の領域が、永久に粘着性の接着剤によって内部層構造の下にある表面に取り付けられ、外部開放部分が、開放フラップを構築するために内部層構造の下にある表面から剥離可能であり、外部開放部分が、使用時に開放アクセス部を再閉鎖するために前記永久に粘着性の接着剤によって内部層構造の下にある表面に再取り付け可能であり、永久に粘着性の接着剤が、使用時に、剥離された後に内部層構造の下にある表面上に位置されたままである、包装体を開示する。
【００１０】
本発明の好ましい実施形態は、以下の特徴の少なくとも一つ又は適切な組み合わせを開示する：
−  前記開放アクセス部が、封止包装体の上端部にのみ位置される；
−  永久に粘着性の接着剤層が、外部刻み線及び内部刻み線によって画定された表面上にパターン化されかつ位置されている；
−  可撓性包装積層体が、積層体の全表面にわたって延びる永久接着剤の層を含む；
−  可撓性包装積層体が、パターン化された永久に粘着性の接着剤層と永久接着剤の間の剥離層を含む；
−  剥離層が、積層体の全表面にわたって延びる；
−  可撓性包装積層体が、内部構造と外部構造の間に位置される不透明層をさらに含み、第一及び第二刻み線の深さが、前記不透明層によって画定される；
−  不透明層が、剥離層、永久積層接着剤層、アルミニウム層、又は印刷層である；
−  永久に粘着性の接着剤層と前記包囲体の間の２０℃での接着力が、ＦＩＮＡＴ試験法Ｎｏ．２によれば、１〜１０Ｎ／１５ｍｍ、好ましくは１〜５Ｎ／１５ｍｍ、最も好ましくは２〜３Ｎ／１５ｍｍである；
−  永久に粘着性の接着剤層と内部構造の間の２０℃での接着力が、永久に粘着性の接着層と外部構造の間の接着力より少なくとも２Ｎ／１５ｍｍ強い；
−  封止包囲体が、カートンボックスの内部ライナーである。
【００１１】
本発明はまた、以下の工程を含む、本発明による再閉鎖可能な包装体の製造のための方法を開示する：
―  可撓性材料の少なくとも一つの層を含む第一構造の一つの表面上に永久に粘着性の接着剤の予め決められたパターンを付与する工程；
―  少なくとも前記予め決められたパターンを保護オーバーラッカー層又は剥離層で被覆する工程；
―  第一構造の全表面を横切って永久に積層する接着剤を付与し、前記第一構造のオーバーラッカー層及び可能な非被覆面を被覆する工程；
―  永久接着剤によって第一構造を第二構造に面対面で接着剤接合し、積層体を形成する工程；
―  第一及び第二構造に第一及び第二オフセット刻み線をそれぞれ施し、積層体の面から外側に持ち上げられることができる一体化フラップを形成して開放アクセス部を形成することによって、可撓性包装積層体に組み込みの開放及び再閉鎖構造を形成する工程；
―  一束の喫煙物品のまわりに再閉鎖可能な包装体を形成する工程。
【００１２】
本発明の方法の好ましい実施形態は、以下の特徴の少なくとも一つ又は適切な組み合わせを開示する：
―  オーバーラッカー層が、構造の全表面を被覆し、永久に粘着性の接着剤と第一構造の両方を被覆する；
―  パターン化された永久に粘着性の接着剤層によって誘導されるレベルの差がオーバーラッカー層又は剥離層によって滑らかにされるように、オーバーラッカー層又は剥離層が液体状態で付与される；
―  オーバーラッカーが、溶媒被覆によって付与される；
―  第一及び第二オフセット刻み線が、レーザー食刻によって実施される；
―  レーザー食刻の深さが、第一構造と第二構造の間に位置される不透明層によって制限される。
【図面の簡単な説明】
【００１３】
【図１】図１は、内部ライナーが開放された、本発明による容易開放及び再閉鎖システムを含むシガレット包装を表わす。
【００１４】
【図２】図２は、内部ライナーが開放された、本発明による容易開放及び再閉鎖システムを有する内部ライナーを含む硬質シガレットボックスを表わす。
【００１５】
【図３】図３は、閉鎖位置の容易開放及び再閉鎖システムを有するライナーの断面を表わす。
【００１６】
【図４】図４は、生成されたフラップでの剥離操作後、開放位置の容易開放及び再閉鎖システムを有するライナーの断面を表わす。
【００１７】
【図５】図５は、包装体の上部にのみ位置される非対称開放アクセス部を有する本発明によるシガレット包装を表わす。
【００１８】
【図６】図６は、包装体の上部にのみ位置される対称開放アクセス部を有する本発明によるシガレット包装を表わす。
【００１９】
【図７】図７は、部分的に引き出されたシガレットを有する図６のシガレット包装を表わす。
【発明を実施するための形態】
【００２０】
本発明は、喫煙物品２の再閉鎖可能な包装体１に関連し、包装体は、一束の喫煙物品２のまわりに可撓性包装積層体を含む封止包囲体を含み、積層体は、組み込みの容易開放アクセス部を有する。組み込みの容易開放アクセス部は、実際には開口及び包囲体フラップ４の形態を有し、開口は、その縁に、感圧性接着剤とも称される永久に粘着性の接着剤（ＰＴＡ）層３を含む。一般的な実施形態として、開放アクセス部は、再閉鎖可能な包装体。１の上端壁８及び前壁にわたって延びることができる（図１＆２）。
【００２１】
特定の実施形態では、開放アクセス部は、図５〜７に表わされるように再閉鎖可能な包装体１の上部壁にのみ位置される。開口の縁上の永久に粘着性の接着剤層３の位置は、ユーザーが包囲体フラップを操作するときに指で永久に粘着性の接着剤を汚染し、それが特に多数回の再閉鎖後に接着性を低下することを防止する。さらに、かかる位置は、ＰＴＡと喫煙物品２の間の可能な接触を防止する。かかる接触はまた、喫煙物品２を粘着性にする接着剤残留物で喫煙物品２を潜在的に汚染し、それは、ユーザーの口びるとの不快な接触を作りうる。
【００２２】
本発明の再閉鎖可能な包装体１のために使用される可撓性包装積層体は、互いに積層される第一（内部）構造９及び第２（外部）フィルム構造１２を含む。本発明に使用される積層体について、我々は、第一フィルム構造９及び第二フィルム構造１２を規定する。再閉鎖可能な包装体について、これらの構造は、内部構造９及び外部構造１２と呼ぶことができる。第一及び第二フィルム構造（９，１２）の各々は、単一層（例えば単一ポリマーシート材料）であるか、又は互いに積層された二つ以上の層もしくは共押出し多層構造であることができる。第一及び第二フィルム構造（９，１２）はさらに、特に下流の包装用途のために適切な印刷証印を含むことができる。
【００２３】
永久に粘着性の接着剤（ＰＴＡ）は、第一又は第二フィルム構造（９，１２）の表面にパターン付与（例えばＵの形状）されることが好ましい。ＰＴＡパターンは、次いでオーバーラッカー層１０で被覆されることが好ましい。オーバーラッカー層１０は、ＰＴＡ層３と非被覆面の両方に接着し、保護又は剥離層として作用し、従ってＰＴＡを有する構造は、ブロッキングの影響なしでロールで保管されることができる。オーバーラッカー層１０の例は、ニトロセルロース材料、ニトロセルロース材料とシリカのようなブロッキング防止剤との組み合わせ、及び水系アクリル樹脂を含む。
【００２４】
オーバーラッカー層１０は、ＰＳＡ／ＰＴＡ層上にのみ付与されることができ、又は構造の全表面を横切って有利に付与されることができる。この後者のケースでは、オーバーラッカー層１０は、変動する厚さを有することが好ましく、パターン化されたＰＴＡによって誘発された厚さの変動を滑らかにする。例えば、オーバーラッカー層１０は、水系アクリル樹脂の場合には水のような適切な溶媒を使用することによって液体状態で付与される。
【００２５】
永久接着剤１１の層は、次いでＰＴＡ、オーバーラッカー層（もしあれば）、及びおそらく被覆されていない第一又は第二構造を被覆するためにフィルム構造の全表面（「連続」又は「完全」被覆とも称される）を横切って付与される。代替的に、永久接着剤１１の層は、両構造のいずれかの全表面を横切って付与されることができる。
【００２６】
「永久接着剤」１１は、剥離可能な接着剤とは対照的に、永久の接着を得るための積層工程に通常使用される接着剤を意味する。
【００２７】
第一及び第二構造（９，１２）は、パターン付与されたＰＴＡ３、オーバーラッカー層１０、及び完全被覆永久接着剤層１１が第一と第二構造（９，１２）の間に挟まれるように対向する面対面の関係に向けられる。永久接着剤１１は、オーバーラッカー層１０に接着し、第一と第二構造（９，１２）を互いに接合して可撓性包装積層体を形成する。
【００２８】
ＰＴＡ３がオーバーラッカー層１０によって被覆されるとき、パターン付与されたＰＴＡ３及びオーバーラッカー層１０を有する第一構造９はロール状にされ、ブロッキングの影響なしでロールで保管されることができ、次いで別個の処理工程で永久接着剤１１で第二構造（１２）に積層されることができる。代替的に、パターン付与されたＰＴＡ層３、オーバーラッカー層１０、及び完全被覆永久接着剤層１１を有する第一及び第二構造（９，１２）は、一体化された（インライン）方法で互いに積層されることができる。
【００２９】
本発明による可撓性包装積層体に組み込みの開放及び再閉鎖構造を形成するためには、第一及び第二オフセット刻み線が第一及び第二構造にそれぞれ形成され、一体化フラップを形成する。一体化フラップは、開放部を形成するために積層体の面から外に持ち上げられることができる。開放部は、可撓性包装積層体から形成された包装によって包囲される製品へのアクセスを可能にする。
【００３０】
特に、第一（内部）刻み線は、得られた包装の内部表面を形成する第一又は第二構造の一方（ここでは内部構造として言及される）に形成される。第一刻み線１４は、フラップ４の内部表面に対応する内部開放面を規定し、フラップ４がそこから脱着されるときに積層体に開口を形成する。第一刻み線１４は、一般的にＰＴＡパターンの内周に沿って輪郭を描かれる。
【００３１】
第一刻み線からオフセットされた第二外部刻み線１３は、得られた包装の外部表面を形成する第一又は第二構造（９，１２）の他方（ここでは外部構造として言及される）に形成される。第二刻み線は、いったんフラップ４が積層体から脱着されるとフラップ４の外部表面に対応する外部閉鎖面を規定する。第二刻み線は、一般的にＰＴＡパターンの外周に沿って輪郭を描かれる。
【００３２】
第二刻み線１３の位置は、フラップ４の外部閉鎖面がフラップ４の下にある内部開放面の外縁を越えて延びる縁領域を含むように選択される。パターン付与されたＰＴＡは、応じて第一及び第二刻み線（１４，１３）の間の縁領域に位置される。永久接着剤１１は、第一及び第二刻み線（１４，１３）の間のこの縁領域を除いて第一及び第二構造（９，１２）を接合する。
【００３３】
フラップ４が積層体の面から外側に持ち上げられるとき、内部構造９は第一刻み線１４で分離され、外部構造１２は第二刻み線１３で分離される。永久接着剤１１は内部構造９の内部開放面を外部構造１２の外部閉鎖面に永久に接合し、フラップ４を持ち上げることにより、積層体に開口を形成する。フラップ４は、それをその元の位置に戻すことによって閉鎖されることができる。フラップ４の外部閉鎖面の縁領域は、この縁領域に位置されるＰＴＡ３によって内部構造９の下にある部分に再び取り付けられる。ＰＴＡは、下にある部分上に残る。
【００３４】
オフセット刻み線（１３，１４）は、レーザー食刻によって実施されることが有利であり、刻みの深さは、不透明層によって限定されることが好ましい。不透明層は、拡散性又は反射性であることができ、例えばＴｉＯ２のような白色化充填剤を含む層、又はアルミニウム層のような金属層であることができる。
【００３５】
本発明に使用される典型的なフィルム構造は、外部から内部層の順で以下の通りである：
−  外部ラッカー／印刷層／ＯＰＰ３０μｍ／永久粘着性接着剤（ＰＴＡ）３μｍ／永久接着剤３μｍ／金属蒸着ＯＰＰ４５μｍ、
−  外部ラッカー／印刷層／ＯＰＰ３０μｍ／永久粘着性接着剤（ＰＴＡ）３μｍ／剥離ラッカー／永久接着剤３μｍ／金属蒸着ＯＰＰ４５μｍ、
−  外部ラッカー／印刷層／ＰＥＴ１８μｍ／永久粘着性接着剤（ＰＴＡ）３μｍ／永久接着剤３μｍ／金属蒸着ＰＥＴ１８μｍ。
【符号の説明】
【００３６】
１．再閉鎖可能な包装体
２．喫煙物品
３．永久粘着性接着剤層
４．包囲フラップ
５．カートンボックス
６．下端壁
７．側壁
８．上端壁
９．内部（層）構造又は第一構造
１０．オーバーラッカー又は剥離層
１１．永久積層接着剤
１２．外部（層）構造又は第二構造
１３．外部刻み線又は第二刻み線
１４．内部刻み線又は第一刻み線
【図１】
0006279618.tif 000002
【図２】
0006279618.tif 000003
【図３】
0006279618.tif 000004
【図４】
0006279618.tif 000005
【図５】
0006279618.tif 000006
【図６】
0006279618.tif 000007
【図７】
0006279618.tif 000008